【手続補正書】
【提出日】平成26年2月10日(2014.2.10)
【手続補正１】
【補正対象書類名】特許請求の範囲
【補正対象項目名】全文
【補正方法】変更
【補正の内容】
【特許請求の範囲】
【請求項１】
成形される固形物を監視するためのシステムであって、前記固形物は、材料を成形構造物の中へ導入し、前記成形構造物内の前記材料を硬化プロセスによって前記成形される固形物へと凝固させることによって製造され、前記成形される固形物は、第１の範囲および反対側の第２の範囲を有し、前記システムは、前記非固形材料の前記硬化プロセス前に、関連付けられた成形構造物内に位置付け可能な少なくとも１つのセンサストリングを備え、前記少なくとも１つのセンサストリングは、第１の端と第２の端との間でストリング軸に沿って延在する支持線を有し、前記線は、前記第１の端と第２の端との間で前記線に連結される複数のセンサを有し、かつ前記複数のセンサの各センサは、前記第１の端と第２の端との間で前記支持線に沿って設定位置に装着され、前記各センサは、センサ本体および電気構造物を含み、前記センサ本体は、前記センサを、前記ストリング軸に沿った前記設定位置で前記線に連結するためのコネクタを有し、前記電気構造物は、前記関連付けられた材料の特性を前記設定位置付近で監視するように構成される検知デバイスを含み、前記電気構造物は、前記軸に沿った前記センサの前記設定位置に対応する電子識別コードをさらに含み、前記システムは、前記センサから前記特性および前記識別コードを選択的に通信するための送信デバイスをさらに含む、システム。
【請求項２】
前記支持線は通信回線であり、前記コネクタは、前記電気構造物を前記通信回線に電子的に連結するための電気コネクタであり、前記選択的通信が前記通信回線を通る、請求項１に記載のシステム。
【請求項３】
前記支持線は電力線であり、前記コネクタは、前記電気構造物を前記電力線に電子的に連結するための電気コネクタである、請求項１に記載のシステム。
【請求項４】
前記検知デバイスは、前記設定位置付近の前記材料の温度を監視するように構成される温度センサを含む、請求項１に記載のシステム。
【請求項５】
前記温度センサは、前記材料の実時間温度を測定する、請求項４に記載のシステム。
【請求項６】
前記支持線は通信回線であり、前記コネクタは、前記電気構造物を前記通信回線に電子的に連結するための電気コネクタであり、前記選択的通信は前記通信回線を通り、前記送信デバイスは前記通信回線に電子的に連結される、請求項１に記載のシステム。
【請求項７】
前記各センサは、メモリ記憶装置をさらに含み、前記メモリ記憶装置は、前記送信デバイスに対する、前記温度の前記選択的通信のためと、前記各センサに対する、前記各センサの操作のためと、のうちの少なくとも１つのための命令を含み、前記メモリ記憶装置は、前記識別コードをさらに含む、請求項６に記載のシステム。
【請求項８】
前記センサは、前記電気構造物を少なくとも部分的に保護するためのセンサ筐体をさらに含む、請求項１に記載のシステム。
【請求項９】
前記筐体は、少なくとも部分的に被膜によって形成される、請求項８に記載のシステム。
【請求項１０】
前記筐体は、クラムシェルを含む、請求項８に記載のシステム。
【請求項１１】
複数のセンサのうちの少なくとも１つは、前記支持線との接続部に張力緩和装置を含む、請求項１に記載のシステム。
【請求項１２】
前記第１の範囲は、地盤層の表面における穴開口部であり、前記成形構造物は、前記表面から前記第２の範囲へと下方に延在し、前記第１の端は、前記第１の範囲の付近にあり、前記第２の端は、前記第２の範囲の付近にある、請求項１に記載のシステム。
【請求項１３】
前記支持線は通信回線であり、前記コネクタは、前記電気構造物を前記通信回線へ電子的に連結するための電気コネクタであり、前記選択的通信は前記通信回線を通り、前記システムは操作システムをさらに含み、前記複数のセンサは、前記第１の端で前記操作システムへ連結される前記通信回線を経由して、前記操作システムと通信し、前記操作システムは、前記複数のセンサによって作成されるデータを少なくとも蓄積するように構成される、請求項１に記載のシステム。
【請求項１４】
前記少なくとも１つのセンサストリングは、少なくとも３つのセンサストリングであって、前記少なくとも３つのセンサストリングである、請求項１に記載のシステム。
【請求項１５】
前記識別コードは、固有の電子識別コードである、請求項１に記載のシステム。
【請求項１６】
前記支持線は通信回線であり、前記コネクタは、前記電気構造物を前記通信回線へ電子的に連結するための電気コネクタであり、前記選択的通信は前記通信回線を通り、前記第１の端は送信端であり、かつ前記送信端は操作システムに連結される、請求項１に記載のシステム。
【請求項１７】
前記各センサの前記所定位置は、前記ストリング軸に沿って均等に離間する、請求項１に記載のシステム。
【請求項１８】
前記均等な離間は、前記ストリング軸に沿って１フィート未満である、請求項１７に記載のシステム。
【請求項１９】
前記支持線は通信回線であり、前記コネクタは、前記電気構造物を前記通信回線へ電子的に連結するための電気コネクタであり、前記選択的通信は前記通信回線を通り、前記通信回線は、ジャケット内に一緒にまとめられる少なくとも２本のワイヤを有する導電体である、請求項１に記載のシステム。
【請求項２０】
前記電気コネクタは、前記ジャケットを貫通して、前記少なくとも２本のワイヤのそれぞれに電気的かつ別個に係合するように構成される、貫通する棘を有する、係止クリップを含む、請求項１９に記載のシステム。
【請求項２１】
前記通信回線は、前記複数のセンサを完全に支持する、請求項２０に記載のシステム。
【手続補正２】
【補正対象書類名】明細書
【補正対象項目名】００６７
【補正方法】変更
【補正の内容】
【００６７】
好適な実施形態を参照して、例示的な実施形態を説明した。明白なことに、上述の詳細な説明を読み理解すれば、修正および変更が想起されるであろう。これら例示的な実施形態は、かかる修正および変更が添付の特許請求の範囲またはその均等物の範囲に包含される限りにおいて、それら全てを含むように解釈されることが意図される。
［付記］
［付記１］
成形される固形物を監視するためのシステムであって、前記固形物は、材料を成形構造物の中へ導入し、前記成形構造物内の前記材料を硬化プロセスによって前記成形される固形物へと凝固させることによって製造され、前記成形される固形物は、第１の範囲および反対側の第２の範囲を有し、前記システムは、前記非固形材料の前記硬化プロセス前に、関連付けられた成形構造物内に位置付け可能な少なくとも１つのセンサストリングを備え、前記少なくとも１つのセンサストリングは、第１の端と第２の端との間でストリング軸に沿って延在する支持線を有し、前記線は、前記第１の端と第２の端との間で前記線に連結される複数のセンサを有し、かつ前記複数のセンサの各センサは、前記第１の端と第２の端との間で前記支持線に沿って設定位置に装着され、前記各センサは、センサ本体および電気構造物を含み、前記センサ本体は、前記センサを、前記ストリング軸に沿った前記設定位置で前記線に連結するためのコネクタを有し、前記電気構造物は、前記関連付けられた材料の特性を前記設定位置付近で監視するように構成される検知デバイスを含み、前記電気構造物は、前記軸に沿った前記センサの前記設定位置に対応する電子識別コードをさらに含み、前記システムは、前記センサから前記特性および前記識別コードを選択的に通信するための送信デバイスをさらに含む、システム。
［付記２］
前記支持線は通信回線であり、前記コネクタは、前記電気構造物を前記通信回線に電子的に連結するための電気コネクタであり、前記選択的通信が前記通信回線を通る、付記１に記載のシステム。
［付記３］
前記支持線は電力線であり、前記コネクタは、前記電気構造物を前記電力線に電子的に連結するための電気コネクタである、付記１に記載のシステム。
［付記４］
前記検知デバイスは、前記設定位置付近の前記材料の温度を監視するように構成される温度センサを含む、付記１に記載のシステム。
［付記５］
前記温度センサは、前記材料の実時間温度を測定する、付記４に記載のシステム。
［付記６］
前記支持線は通信回線であり、前記コネクタは、前記電気構造物を前記通信回線に電子的に連結するための電気コネクタであり、前記選択的通信は前記通信回線を通り、前記送信デバイスは前記通信回線に電子的に連結される、付記１に記載のシステム。
［付記７］
前記各センサは、メモリ記憶装置をさらに含み、前記メモリ記憶装置は、前記送信デバイスに対する、前記温度の前記選択的通信のためと、前記各センサに対する、前記各センサの操作のためと、のうちの少なくとも１つのための命令を含み、前記メモリ記憶装置は、前記識別コードをさらに含む、付記６に記載のシステム。
［付記８］
前記センサは、前記電気構造物を少なくとも部分的に保護するためのセンサ筐体をさらに含む、付記１に記載のシステム。
［付記９］
前記筐体は、少なくとも部分的に被膜によって形成される、付記８に記載のシステム。
［付記１０］
前記筐体は、クラムシェルを含む、付記８に記載のシステム。
［付記１１］
複数のセンサのうちの少なくとも１つは、前記支持線との接続部に張力緩和装置を含む、付記１に記載のシステム。
［付記１２］
前記第１の範囲は、地盤層の表面における穴開口部であり、前記成形構造物は、前記表面から前記第２の範囲へと下方に延在し、前記第１の端は、前記第１の範囲の付近にあり、前記第２の端は、前記第２の範囲の付近にある、付記１に記載のシステム。
［付記１３］
前記支持線は通信回線であり、前記コネクタは、前記電気構造物を前記通信回線へ電子的に連結するための電気コネクタであり、前記選択的通信は前記通信回線を通り、前記システムは操作システムをさらに含み、前記複数のセンサは、前記第１の端で前記操作システムへ連結される前記通信回線を経由して、前記操作システムと通信し、前記操作システムは、前記複数のセンサによって作成されるデータを少なくとも蓄積するように構成される、付記１に記載のシステム。
［付記１４］
前記少なくとも１つのセンサストリングは、少なくとも３つのセンサストリングであって、前記少なくとも３つのセンサストリングである、付記１に記載のシステム。
［付記１５］
前記識別コードは、固有の電子識別コードである、付記１に記載のシステム。
［付記１６］
前記支持線は通信回線であり、前記コネクタは、前記電気構造物を前記通信回線へ電子的に連結するための電気コネクタであり、前記選択的通信は前記通信回線を通り、前記第１の端は送信端であり、かつ前記送信端は操作システムに連結される、付記１に記載のシステム。
［付記１７］
前記各センサの前記所定位置は、前記ストリング軸に沿って均等に離間する、付記１に記載のシステム。
［付記１８］
前記均等な離間は、前記ストリング軸に沿って１フィート未満である、付記１７に記載のシステム。
［付記１９］
前記支持線は通信回線であり、前記コネクタは、前記電気構造物を前記通信回線へ電子的に連結するための電気コネクタであり、前記選択的通信は前記通信回線を通り、前記通信回線は、ジャケット内に一緒にまとめられる少なくとも２本のワイヤを有する導電体である、付記１に記載のシステム。
［付記２０］
前記電気コネクタは、前記ジャケットを貫通して、前記少なくとも２本のワイヤのそれぞれに電気的かつ別個に係合するように構成される、貫通する棘を有する、係止クリップを含む、付記１９に記載のシステム。
［付記２１］
前記通信回線は、前記複数のセンサを完全に支持する、付記２０に記載のシステム。
［付記２２］
前記通信回線は、前記複数のセンサを完全に支持する、付記２に記載のシステム。
［付記２３］
前記通信回線は、前記ワイヤを包囲する外側ジャケットを有する２線式導体であり、前記電気コネクタは、前記ジャケットを貫通して、前記２本のワイヤのそれぞれと個々に電気接触するように構成される係止クリップを含み、前記係止クリップは、前記２線式導体に対して前記各センサを完全に支持し、かつ前記２線式導体はそれぞれの前記センサを完全に支持し、前記少なくとも１つのセンサストリングは、前記ストリング軸と交差するそれぞれ互いに離間する少なくとも第１、第２、および第３のストリングであり、前記第１のセンサストリングは、第１の複数のセンサを有し、前記第２のセンサストリングは、第２の複数のセンサを有し、前記第３のセンサストリングは、第３の複数のセンサを有し、前記第１、第２、および第３の複数のセンサのうちのそれぞれは、異なる前記識別コードを有する、付記２に記載のシステム。
［付記２４］
成形される固形物を監視するためのシステムのためのセンサストリングであって、前記固形物は、材料を成形構造物の中へ導入し、前記成形構造物内の前記材料を硬化プロセスによって前記成形される固形物へと凝固させることによって製造され、前記成形される固形物は、第１の範囲および反対側の第２の範囲を有し、前記センサストリングは、前記非固形材料の前記硬化プロセス前に、関連付けられた成形構造物内に位置付け可能であり、前記ストリングは、送信端と終端との間でストリング軸に沿って延在するワイヤジャケットによって包囲される少なくとも１本のワイヤを有する導体によって形成される通信回線を有し、前記送信端は、電気的接続を形成するための少なくとも１つのリードを有し、前記ストリングは、前記送信端と前記終端との間で前記通信回線に連結される複数のセンサをさらに含み、前記複数のセンサの各センサは、前記導電体に、前記送信端と前記終端との間で前記通信回線に沿って設定位置で装着され、前記各センサは、センサ本体およびセンサ筐体をさらに含み、前記センサ本体は、電気構造物を、前記設定位置で前記導電体に電気的に連結するための電気コネクタを含み、前記電気構造物は、前記設定位置の付近の前記材料の温度を監視するように構成される温度センサを含み、前記電気構造物は、前記軸に沿って前記センサの前記設定位置に対応する電子識別コードと、前記実時間温度および前記識別コードを前記通信回線に選択的に通信するための送信デバイスと、をさらに含む、センサストリング。
［付記２５］
前記少なくとも１本のワイヤは、光ファイバーワイヤである、付記２４に記載のストリング。
［付記２６］
前記各センサは、固有の電子識別コードを有する、付記２４に記載のストリング。
［付記２７］
前記筐体は、少なくとも部分的に被膜によって形成される、付記２４に記載のストリング。
［付記２８］
前記各センサの前記所定位置は、前記ストリング軸に沿って均等に離間する、付記２４に記載のストリング。
［付記２９］
前記均等な離間は、前記ストリング軸に沿って１フィート未満である、付記２８に記載のストリング。
［付記３０］
前記通信回線は、前記複数のセンサを完全に支持する、付記２４に記載のストリング。
［付記３１］
前記各センサは、メモリ記憶装置をさらに備え、前記メモリ記憶装置は、前記送信デバイスに対する前記実時間温度の選択的通信のための命令を含み、かつ前記温度および前記識別コードを記憶する、付記２４に記載のストリング。
［付記３２］
成形される固形物を監視するためのシステムのためのセンサストリングであって、前記固形物は、材料を成形構造物の中へ導入し、前記成形構造物内の前記材料を硬化プロセスによって前記成形される固形物へと凝固させることによって製造され、前記成形される固形物は、第１の範囲および反対側の第２の範囲を有し、前記センサストリングは、前記非固形材料の前記硬化プロセス前に、関連付けられた成形構造物内に位置付け可能であり、前記ストリングは、第１の端と第２の端との間でストリング軸に沿って延在する支持線を有し、前記センサストリングは、前記第１の端と第２の端との間で既知の間隔で前記支持線に連結される複数のセンサをさらに含み、前記複数のセンサの各センサは、センサ本体およびセンサ筐体を含み、前記センサ本体は、前記各センサを前記支持線へ前記既知の間隔で連結するためのコネクタを含み、前記各センサは、前記既知の間隔付近の前記材料の温度を監視するように構成される温度センサを含む電気構造物をさらに含み、前記電気構造物は、前記ストリング軸に沿った前記既知の間隔の前記各センサに対応する電子識別コードと、前記実時間温度および前記識別コードを操作システムへ選択的に通信するための送信デバイスと、をさらに含む、センサストリング。
［付記３３］
注入される構造物の少なくとも１つの状態を測定する方法であって、前記注入される構造物は、硬化性材料を成形構造物の中へ導入し、前記成形構造物内の前記材料を硬化プロセスによって成形される固形物へと凝固させることによって製造される、成形される固形物であり、前記方法は、
第１の範囲および反対側の第２の範囲を有する成形構造物であって、前記第１の範囲と第２の範囲との間で構造物軸に沿って延在する、成形構造物を提供するステップと、
第１の端と第２の端との間でストリング軸に沿って延在する支持線と、前記第１の端と第２の端との間で前記支持線に連結される複数のセンサとを有する、少なくとも１つのセンサストリングを備える、監視するためのシステムであって、前記複数のセンサのうちの各センサは、前記第１の端と第２の端との間で前記支持線に沿って設定位置に装着され、前記各センサは、センサ本体およびセンサ筐体を含み、前記センサ本体は、前記各センサを、前記支持線に前記設定位置で連結するためのコネクタを含み、前記各センサは、前記関連付けられた硬化性材料の前記設定位置付近の温度を監視するように構成される温度センサを含む電気構造物を含み、前記電気構造物は、前記軸に沿った前記センサの前記設定位置に対応する識別コードをさらに含み、前記システムは、前記実時間温度と前記識別コードとを選択的に通信するための送信デバイスをさらに含む、システムを提供するステップと、
前記第１の端は前記第１の範囲の付近にあり、前記ストリング軸は前記第２の範囲に向かって延在する、前記成形構造物の中へ、前記少なくとも１つのストリングを位置付けるステップと、
前記硬化性材料を前記成形構造物の中へ注入し、それによって、前記ストリングが、前記硬化性材料によって少なくとも部分的に封入されるステップと、
前記注入するステップの後に前記複数のセンサの前記各センサによって検出される前記温度を監視するステップと、
前記各センサの前記温度を、前記各センサと、および前記各センサの前記設定位置と、関連付けるステップと、
前記複数のセンサの前記関連付けられた温度および位置を組み合わせるステップと、
前記注入される構造物の前記少なくとも１つの状態を判定するステップと、
を含む、方法。
［付記３４］
前記成形構造物は、地盤内に円筒穴を含み、前記構造物軸は、前記穴と同軸上にある、付記３３に記載の方法。
［付記３５］
前記円筒穴は、ドリルで掘削される穴であり、前記第１の範囲は、前記穴の開口部である、付記３４に記載の方法。
［付記３６］
前記成形構造物は、概して水平に延在し、前記構造物軸は、概して水平な軸である、付記３３に記載の方法。
［付記３７］
前記支持線は通信回線であり、前記コネクタは、前記電気構造物を前記通信回線へ電子的に連結するための電気コネクタであり、前記選択的通信は前記通信回線を通り、前記方法は、各前記少なくとも１つのセンサストリングの前記第１の端を、操作システムへ接続するステップをさらに含み、前記操作システムは、監視するステップ、関連付けるステップ、および組み合わせるステップを実行する、付記３３に記載の方法。
［付記３８］
前記硬化プロセスが完了した後、前記複数のセンサの前記実時間温度を監視するステップをさらに含む、付記２６に記載の方法。